(57)【特許請求の範囲】
【請求項１】
法面（１）に沿って複数の凹部（２）を形成してネット体（３）を張設し、当該ネット体の植栽しようとする位置に、内外二重で、且つ少なくとも正面部に箱枠形のスペ−サ−（11）によって適宜の間隙（Ｇ）を保持した客土収容用抱持枠（５）・（５′）を載置してアンカ−ピン（10）で固定したことを特徴とする法面緑化保護工用客土袋の収納装置。
【請求項２】
法面（１）に沿って複数の凹部（２）を形成してネット体（３）を張設し、当該ネット体の植栽しようとする位置に、内外二重で、且つ少なくとも正面部に箱枠形のスペ−サ−（11）によって適宜の間隙（Ｇ）を保持した客土収容用抱持枠（５）・（５′）を載置してアンカ−ピン（10）で固定すると共に、その抱持枠の中に客土袋（４）を収納すると共に、抱持枠（５）の平面開口部に金網製蓋体（６）を配置すると共に、その基端辺を抱持枠正面の上端辺にヒンジ（７）で開閉できるように結合し、且つ金網製蓋体の所定の個所に穴部（８）を形成して植穴用の厚紙製パイプ（９）を挿通して掛止したことを特徴とする法面緑化保護工用客土袋の収納装置。
【請求項３】
箱枠形のスペ−サ−（11) が横長矩形枠(111）の上辺に複数の掛止爪(112）・(112）を成形して、当該枠内に所定の高さ（ｈ）を有する補強リブ(113）を成形した請求項１又は請求項２記載の法面緑化保護工用客土袋の収納装置。
【発明の詳細な説明】
【０００１】
【産業上の利用分野】
本発明は法面緑化保護工用客土袋の収納装置に関するもので、客土袋を確実に収納できるようにすると共に、吹付材料の付着効率を向上させ、且つ吹付材料の使用量を軽減できるようにしたことを目的とする。
【０００２】
【従来の技術】
一般にこの種の在来工法のうち、法面緑化工法としては、本発明者ないし出願人が提供している  実用新案登録第 1592242号（実公昭59− 30061号）の考案及び特許第 1628729号（特公平２− 52050号）の発明が知られている。
【０００３】
前者の考案は図５に示すように、容易に掘削可能な法面において、剛性の網材を折曲げ成形した客土袋保持枠（１）を法面（２）との間に形成された縦断面略逆三角形ポケット内に、植栽用客土袋（４）を収容し、その客土袋の上面を除く法面にラス（７）の張設工及びモルタル又はコンクリ−ト（８）の吹付工を施すものである。
【０００４】
また後者の発明は図６に示すように、硬岩法面における緑化工法において、法面（Ａ）に沿ってネット体（１）を密接的に張設し、当該ネット体の植栽しようはする部位に客土袋（２）を位置させると共に、これを保持枠（３）で抱持し、アンカ−ピン（10）を介して前記客土袋を保持枠と一緒に法面に固定し、客土袋上面に植栽口形成要型部材（５）を介して植栽口部（８）を残して客土袋の周囲にモルタル又はコンクリ−ト吹付工を行って吹付層（６）を形成した後、客土袋上面の植栽口の位置に合わせた客土袋の開口部を通じて客土袋内に植栽を行うものである。
【０００５】
【発明が解決しようとする課題】
ところが前者の考案にあっては、地表面が比較的軟質な法面全体に吹付工を行っているので、硬岩法面における緑化工法地質のために崩落のおそれがない法面の植栽個所以外の場所にまで吹付工を行うのは手間がかかると共にコスト高になる。
また、後者の発明にあっては、保持枠の中に客土袋がすっぽりと収容された状態にはなっていないため、吹付工を行う際に植栽口の形成のために植栽口形成要型部材を用いる必要があり、且つ吹付完了後にその型部材を除去する手間が掛かり面倒である。
そして、前者の考案及び後者の発明とも、金網製の保持枠が一重であるため、その保持枠内に客土袋を入れてアンカ−を打ち込み固定した場合、客土袋と金網が近接しすぎて間隙が少ないため、吹付けるモルタルやコンクリ−ト等の吹付材料が付着しずらいと言う課題があった。
【０００６】
【課題を解決しようとする手段】
そこで、本発明は、発明の目的を達成し、且つ従来技術の課題を解決するために提供するものである。
本発明の第１は、法面緑化保護工用客土袋の収納装置において、法面に沿って複数の凹部を形成してネット体を張設し、当該ネット体の植栽しようとする位置に、内外二重で、且つ少なくとも正面部に箱枠形のスペ−サ−によって適宜の間隙を保持し、前記客土収容用抱持枠を載置してアンカ−ピンで固定したものである。
【０００７】
本発明の第２は、法面緑化保護工用客土袋の収納装置において、法面に沿って複数の凹部を形成してネット体を張設し、当該ネット体の植栽しようとする位置に、内外二重で、且つ少なくとも正面部に箱枠形のスペ−サ−によって適宜の間隙を保持し、前記客土収容用抱持枠を載置してアンカ−ピンで固定すると共に、その抱持枠の中に客土袋を収納すると共に、抱持枠の平面開口部に金網製蓋体を配置すると共に、その基端辺を抱持枠正面の上端辺にヒンジで開閉できるように結合し、且つその蓋体の所定の個所に穴部を形成して植穴用の厚紙製パイプを挿通して掛止したものである。
【０００８】
本発明の第３は、前記の第１の発明又は第２の発明に係る法面緑化保護工用客土袋の収納装置において、箱枠形のスペ−サ−が横長矩形枠の上辺に複数の掛止爪を成形して、当該枠内に所定の高さを有する補強リブを成形したものである。
【０００９】
【実施例】
以下、本発明の法面緑化保護工用客土袋の収納装置の実施例を図面を以て説明する。
図１は正面図、図２は平面図、図３は拡大側面図、図４はスペ−サ−の斜視図、図５は従来の考案に係る客土袋設置装置の縦断面図、図６は従来の発明に係る硬岩法面における緑化装置の縦断面図である。
【００１０】
図において、１は法面、２は法面の設定個所に掘削した客土袋収容するための凹部、３は法面１に沿って密接的に張設したネット体、４は植栽しようとする凹部２に配置した客土袋であり、内部に客土が詰められている。前記客土袋はネット体３の上に直に置くか、又はネット体３の凹部２の周辺を切開して穴を形成し、その穴を通じて凹部２に載置することもある。
５及び５1 は内外二重に配置した抱持枠であり、その内側の抱持枠は客土袋４をすっぱりと収納し、外側の抱持枠は箱枠形スペ−サ−で所定の間隙Ｇを形成している。前記内外に配置した両抱持枠は、エキスパンドメタルを用い、若しくは内側の抱持枠５′だけは鉄線で格子状の網目を形成したものを用い、外側の抱持枠の正面部の左右両側に翼片５１・５１を折曲形成した縦断面略逆三角形ポケットタイプに成形してある。そして、前記両翼片にアンカ−ピン１０を挿通して法面１に打ち込み、フック部１０1 をネット体の網目リブに掛止して固定するようになっている。
６は抱持枠４の平面開口部を塞ぐ金網製蓋体であり、抱持枠と同質同材料で製造し、且つその基端辺を外側の抱持枠５の正面上部にヒンジ７で開閉できるように結合してある。８は金網製蓋体６の略中央部位にあけた穴、９はその穴に挿通して掛止した植栽用の厚紙製パイプである。
１１は箱枠形のスペ−サ−であり、横長矩形枠１１1 の上辺に複数の掛止爪１１2 ・１１12を成形して、当該枠内に所定の高さｈを有する補強リブ１１13を成形して成り、内外の抱持枠の間に介在し、且つ掛止爪１１2 ・１１2 を外側の抱持枠の正面部の網目リブに掛止して間隙Ｇを形成してある。
【００１１】
【具体的な施工例】
上記の実施例に基づく具体的な施工例は以下のとおりである。すなわち、法面１の所定複数個所を掘削して凹部２を形成しておき、次いでその法面に沿ってネット体３を張設した後、前記の凹部２に位置するネット体の表面に客土袋３を載置すると共に押圧してネット体３と一緒に凹部２に馴染ませる。
そして、その客土袋を包むように抱持枠４を被せてアンカ−ピン１０を打ち込んで法面１に固定する。
次に客土袋４の上部を切り開いておき、金網製蓋体６を閉じて厚紙製パイプの下端部を切開部に接触させる。その厚紙製パイプに樹脂製クッションや古新聞紙等の詰め物１２を仮詰めしておく。
内外の抱持枠５を一体として法面側に設置した後、モルタル又はコンクリ−トの吹付工を行って吹付層１３を形成する。その吹付層が硬化した後、仮詰めした詰め物１２を除いて厚紙製パイプから低木樹木ないしはツタ類を適宜に植栽する。
【００１２】
【発明の効果】
本発明は上記のように、客土袋を収容する抱持枠を内外二重構造とし、その間に箱枠形のスペ−サ−によって適度の間隙が形成される。これによって、内側の抱持枠で客土袋を確実に保持して法面側に設置して固定することができる。
また、外側の抱持枠によって吹付けるモルタルやコンクリ−ト等の吹付材料が付着が確実となり、法面側への設置固定が確実になる。しかも、客土袋の保持と、吹付用の金網製抱持枠が二重構造で一体になっているため、単独での使用が可能であることと、既設の吹付面の緑化等に使用する場合は特に吹付材料の使用量が軽減できる効果がある。
そして、植栽用厚紙製パイプが金網蓋の穴に挿通掛止していることにより、容易に且つ固定できるために吹付時に抜落ちすることがない。すなわち、従来のように鉄線等で抱持枠に結び付けていたような手間が省ける。
さらに、客土袋上部にも金網が入るため、吹付荷重に対する強度が向上する。従って、植物の成長に伴い幹が大きくなっても吹付層にクラック等が発生することがない等、この種の法面緑化保護工用客土袋の収納方法及びその収納装置として新規有益である。
【図面の簡単な説明】
【図１】  本発明の法面緑化保護工用客土袋の収納装置の正面図である。
【図２】  平面図である。
【図３】  拡大側面図である。
【図４】  箱枠形のスペ−サ−の斜視図である。
【図５】  従来の考案に係る客土袋設置装置の縦断面図である。
【図６】  従来の発明に係る硬岩法面における緑化装置の縦断面図である。
【符号の説明】
１    法面
２    凹部
３    ネット体
４    客土袋
５    抱持枠
５′  抱持枠
６    金網製蓋体
７    ヒンジ
８    パイプ挿通用穴
９    厚紙製パイプ
10    アンカ−ピン
11    スペ−サ−
12    仮詰め物
【図１】
0003703604.tif 000002
【図２】
0003703604.tif 000003
【図３】
0003703604.tif 000004
【図４】
0003703604.tif 000005
【図５】
0003703604.tif 000006
【図６】
0003703604.tif 000007